(57)【要約】【課題】  本発明は、各種製造工程等より発生する有害ガス・各種粉塵等を吸引する際に使用する樹脂シート等を空気圧により膨らませた集塵フードで、軽量化を図ると共に、各種汚染物質の吸引効果を向上させて吸引処理するための集塵フードに関するものである。【解決手段】  陽圧気流送気口（２）より、柔軟性を有する樹脂シート等を縫製・溶着加工した集塵フード（１）のような形状に保持されるように陽圧空気を送り膨らませ、汚染物質の吸引部としての開口を有する集塵フード（１）に噴流形成用多孔部（３）より、開口の長手方向全体に高速気流を吹出すことで汚染物質に対する誘引効果を向上させ、集塵フード（１）の内部全体に旋廻気流が形成された集塵フード。【選択図】図１
2010175234.tif 000002
【特許請求の範囲】
【請求項１】
ポリエステル樹脂等のシートからなる、片面に汚染空気の吸込み口と汚染物質を誘引しかつ、集塵フード（１）内部に旋廻流を形成するための噴流形成用多孔部（３）、集塵フードの形状を保持するための陽圧気流送気口（２）、吸引した汚染気流を一方向に排出するための排風機（４）、汚染空気を浄化するための汚染除去フィルタ（５）からなる集塵フード。
【発明の詳細な説明】
【技術分野】
【０００１】  本発明は、各種製造工程等より発生する有害ガス・各種粉塵等を吸引する際に使用する樹脂シート等を空気圧により膨らませた集塵フードで軽量化を図ると共に、各種汚染物質の吸引効果を向上させて吸引処理するための集塵フードに関するものである。
【背景技術】
【０００２】  従来は、金属または樹脂板素材を溶接・固定螺子等により加工した天蓋フードや側方フードにより吸引し、集塵機にて汚染物質を除去していた。
しかし、従来フードである天蓋・側方フードでは、フード全体から均一な吸引気流を得ることが困難であり、若干のドラフト気流により吸引性能は、大幅に低減してしまうことになっていた。
また、当該フードでは、質量が嵩むためフードを保持するための架台や懸架金具の使用量が多く必要となり、資源の有効活用とは言い難い状況にあった。
また、梁・ユーティリティ配管等、複雑な設置場所への設置に際しては、フード筐体部の取り合いに関して詳細な設計施工を必要とするために現場調査に時間を要していた。
さらには、設備変更に伴うフード・ダクト・集塵機等の移設に際しては、再利用をすることが困難なため、新規に製作する等、限りある資源の有効利用を図ることができない等の多くの問題点を抱えていた。
【発明の開示】
【発明が解決しようとする課題】
【０００３】  従来は、次のような欠点があった。
金属・樹脂板等を加工した天蓋フード・側方フード等は、汚染発生状況に応じて吸引のための制御風速が決められているがフードの形状の問題からフード全体で必要な、均一な制御風速を得ることが困難であった。
汚染源周辺の気流ドラフトを考慮した十分な吸引効果を得るには、相当量の風量が必要となり費用対効果上、成しえない状況にあった。
その効果を向上させるためにエアーカーテン流を利用する方法もあるが別途設計製作に、さらなる費用が嵩むことになる。
そのため、やはり費用対効果上も成しえない状況にあった。
また、フード材質が金属・樹脂板等であり、柔軟性が無いために、多くの複雑な傷害物のある設置場所に対して施工するには、現地調査に基づく詳細な配置設計を必要とするため厖大な検討時間と施工時間が必要となる。
また、設備変更に伴うフード・ダクト・集塵機等の移設に際しては、解体撤去がほとんどであり移設先では、新規に製作せざるを得ず、限りある資源の再利用ができなかった。
さらにフード質量が嵩むためにフードを支持するための架台や懸架金具の強度上の問題から多くの支持材料を必要とするなど資源の有効活用を成しえない状況にあった。
本発明は、上記欠点を解決しようとするものである。
【課題を解決するための手段】
【０００４】  上記欠点を解消するために、本発明は、図１に示すように陽圧気流送気口（２）より柔軟性を有する樹脂シート、例えばポリエステル樹脂シート等を縫製・溶着加工等により集塵フード（１）のような形状に保持されるように陽圧空気を送り膨らませることで形状維持する。
汚染物質の吸引部としての開口を有する円筒状等の集塵フード（１）にその断面である図２に示す噴流形成用多孔部（３）より開口の長手方向全体に高速気流を吹出すことで汚染物質に対する誘引効果を向上させる。
また、この噴流は、集塵フード（１）の内部方向に吹出すことでフード（１）の内部全体に旋廻気流が形成されるように配慮されている。
したがい、集塵フード（１）の内部、長手方向には、強力な旋廻気流を形成しているために集塵フード（１）の長手方向には、均一な吸引気流が形成されるため汚染物質に対する誘引効果を向上させることができる。
また、集塵フード（１）は、柔軟性を有するために設置場所の障害物があっても相応な曲線を描き設置することができる。
詳細な配置設計を行わずとも対応することができる。
さらには、樹脂シートであるため、その質量は、金属・樹脂板と比較にならないほどの軽量化を図ることができ、施工作業性の向上は、勿論のこと架台・懸架金具も軽量なもので対応できる。
【発明を実施するための形態】
【０００５】  以下本発明の実施形態を図面について説明する。
汚染物質を効果的に吸引するためには、強力な誘引気流を集塵フード全体で均一に吸引することが求められる。
したがい、図１に示す汚染気流を長手方向において均一な吸引気流、例えば毎秒１０ｍを超える噴流を形成する。
図２の噴流形成用多孔部（３）を任意の間隔で図１に示すように集塵フード（１）の長手方向に設置することで強い誘引圧力が得られると共に集塵フード（１）内部の長手方向に強い旋廻流を形成することで集塵フード（１）の長手方向には、更に、均一な強い吸引風速が得られる。
この集塵フード（１）は、柔軟性を有する樹脂シート、例えばポリエステル樹脂シート等を縫製・溶着加工等がしてあり、陽圧気流送気口（２）より陽圧空気を送り膨らませることで形状が保持される。
この集塵フード（１）の両端または、片面には、汚染気流を吸引するための排風機（４）が設置されている。
排風機の下流側には、汚染気流を浄化するための汚染除去フィルタ（５）により浄化される。
浄化気流の一部は、分岐させて陽圧気流送気口（２）へ送気して集塵フード（１）を膨らませることに利用しても良い。
陽圧気流送気口（２）へは、単独に送風機を別置きにて使用しても、別ラインで集塵フードから切り離して使用しても良い。
また、排風機（４）と汚染除去フィルタ（５）は、汚染気流の状況に応じて排風機（４）を汚染物質より保護するために逆配置としても良い。
また、図１では排風機（４）と汚染除去フィルタ（５）を集塵フード（１）の両側に設置しているが集塵フード（１）のどちらか片側端面を塞ぎ、片側設置のみとしても良い。
【発明の効果】
【０００６】  集塵フードは、柔軟性のある樹脂シートで製作されているために複雑な部材が交錯する設置場所に対しても詳細な配置設計を行わなくても柔軟に設置対応できる。
集塵フードに設けられている噴流形成用多孔部より吹出される高速気流による高い誘引圧力により汚染物質を強力に吸引することができ、さらに集塵フード内部に形成されている旋廻気流により集塵フードの長手方向全体に均一に吸引することができる。
集塵フードの吸引範囲拡縮に際しては、両側に設置している排風機並びに汚染除去フィルタを替えることなく容易に脱着交換できるので柔軟な設備レイアウト変更を実現した。
柔軟性のあるシートにより形成されている集塵フードは、排風機並びに汚染除去フィルタの使用を片側のみでも対応できるので、集塵フードの柔軟性を利用して、折り畳んだ状態で容易に移動し設置変更することができる。
集塵フードが軽量なので架台・懸架金具等の使用材料低減ができるので建屋構造への荷重負荷が少ないので構造物の耐震性を損なうこともない。
【図面の簡単な説明】
【０００７】
【図１】  発明の全体の構成を示した斜視図である。
【図２】  集塵フード部の説明図である。
【符号の説明】
【０００８】１  集塵フード
２  陽圧気流送気口
３  噴流形成用多孔部
４  排風機
５  汚染除去フィルタ
【図１】
2010175234.tif 000003
【図２】
2010175234.tif 000004